(57)【要約】【課題】  液晶パネルに対する表示方向に対して採光する方向の自由度を向上することができるバックライト装置を提供する。【解決手段】  第１入射部６に入射した外光は、第１導光体２の反射板１３によって反射され、第１出射部８から出射される。第１出射部８から出射された光は、第２導光体３の第２入射部９に入射し、反射板１２によって反射される。その反射光は、第２出射部１１から出射され、液晶パネル４の背面に照射されて、表示に用いられる。【選択図】      図１
2015161902.tif 000002
【特許請求の範囲】
【請求項１】
液晶パネルに画像を表示させるための光を、前記液晶パネルの背面に該液晶パネルの背後から照射するバックライト装置において、
一端側に、外光が入射する第１入射部を有するとともに、他端側に前記第１入射部から入射した光が導かれる第１出射部を有する筒状の第１導光体と、
一端側に、前記第１出射部に接続され、前記第１出射部から出射された光が入射する第２入射部を有するとともに、他端側に前記第２入射部から入射した光が導かれ、導かれた光を前記液晶パネルの背面に該液晶パネルの背後から出射する第２出射部を有する筒状の第２導光体と、を含むことを特徴とするバックライト装置。
【請求項２】
前記第２出射部を横切るように互いに間隔をあけて配設される複数の取付け部材と、
前記複数の取付け部材にそれぞれ配設される光源とを、さらに含むことを特徴とする請求項１に記載のバックライト装置。
【請求項３】
前記第２出射部に配設され、前記第２出射部から出射される光の光量を検出し、検出された光量の値を示す光量検出値を出力する光量検出部と、
前記光量検出値が予め設定される光量判定値未満であれば前記光源を点灯させ、前記光量検出値が前記予め設定される光量判定値以上であれば前記光源を消灯させる光量制御部とを、さらに含むことを特徴とする請求項２に記載のバックライト装置。
【請求項４】
前記光源は、赤色光を発生する赤色発光素子と、緑色光を発生する緑色発光素子と、青色光を発生する青色発光素子とを有し、
前記光量検出部は、赤色光の光量を検出し、検出された赤色光の光量の値を示す赤色光量検出値を出力する赤色光量検出素子と、緑色光の光量を検出し、検出された緑色光の光量の値を示す緑色光量検出値を出力する緑色光量検出素子と、青色光の光量を検出し、検出された青色光の光量の値を示す青色光量検出値を出力する青色光量検出素子とを有し、
前記光量制御部は、前記赤色光量検出素子から出力される前記赤色光量検出値、前記緑色光量検出素子から出力される前記緑色光量検出値および前記青色光量検出素子から出力される前記青色光量検出値に応答して、前記赤色発光素子、前記緑色発光素子および前記青色発光素子の点灯および消灯を制御することを特徴とする請求項３に記載のバックライト装置。
【請求項５】
前記第１入射部に配設され、前記第１入射部に入射する外光から紫外線および赤外線を遮断する遮光手段をさらに含むことを特徴とする請求項１〜４のいずれか１つに記載のバックライト装置。
【発明の詳細な説明】
【技術分野】
【０００１】
本発明は、マルチディスプレイなどの大画面表示装置および単独で用いられる液晶表示装置のバックライトによって消費される電力を低減して省電力化を図ることができるバックライト装置に関する。
【背景技術】
【０００２】
従来技術のバックライト装置は、たとえば特許文献１に記載されている。公共の場や半屋外に設置されるいわゆるパブリックディスプレイは、単独での使用およびマルチでの使用にかかわらず、液晶パネル、バックライトおよび電源装置が組になったセット状態で設置される。このような公共設置用の液晶表示装置は、設置環境が公共の場または半屋外であるため、７００〜１５００ｃｄ／ｍ２以上の輝度を発揮することができる液晶表示装置が使用される。このような液晶表示装置は、セット毎に電源装置が必要となり、さらに高輝度モデルのため、バックライトに多大な電力を消費する。バックライトの大きな電力消費は、省エネルギの観点からバックライトの光量の抑制または消灯され、節電が図られている。
【０００３】
このように節電を図ることができるバックライト装置の従来技術として、たとえば特許文献１に、外光およびバックライトの光を液晶パネルへ導く導光板を用いる技術が示されている。
【先行技術文献】
【特許文献】
【０００４】
【特許文献１】特開２０００−１６２５７６号公報
【発明の概要】
【発明が解決しようとする課題】
【０００５】
前述の従来技術では、太陽光などの外光と光源光とを１つの導光板によって液晶パネルに導くように構成され、液晶パネルと導光板とが一体である。そのため、液晶パネルによって表示すべき方向と導光板によって採光すべき方向とが異なる場合、導光板を採光に適した向きに配置することができず、充分な光量を採光することができないという問題がある。
【０００６】
したがって本発明の目的は、液晶パネルに対する表示方向に対して採光する方向の自由度を向上することができるバックライト装置を提供することである。
【課題を解決するための手段】
【０００７】
本発明は、液晶パネルに画像を表示させるための光を、前記液晶パネルの背面に該液晶パネルの背後から照射するバックライト装置において、
一端側に、外光が入射する第１入射部を有するとともに、他端側に前記第１入射部から入射した光が導かれる第１出射部を有する筒状の第１導光体と、
一端側に、前記第１出射部に接続され、前記第１出射部から出射された光が入射する第２入射部を有するとともに、他端側に前記第２入射部から入射した光が導かれ、導かれた光を前記液晶パネルの背面に該液晶パネルの背後から出射する第２出射部を有する筒状の第２導光体と、を含むことを特徴とするバックライト装置である。
【０００８】
また本発明は、前記第２出射部を横切るように互いに間隔をあけて配設される複数の取付け部材と、
前記複数の取付け部材にそれぞれ配設される光源とを、さらに含むことを特徴とする。
【０００９】
また本発明は、前記第２出射部に配設され、前記第２出射部から出射される光の光量を検出し、検出された光量の値を示す光量検出値を出力する光量検出部と、
前記光量検出値が予め設定される光量判定値未満であれば前記光源を点灯させ、前記光量検出値が前記予め設定される光量判定値以上であれば前記光源を消灯させる光量制御部とを、さらに含むことを特徴とする。
【００１０】
また本発明は、前記光源は、赤色光を発生する赤色発光素子と、緑色光を発生する緑色発光素子と、青色光を発生する青色発光素子とを有し、
前記光量検出部は、赤色光の光量を検出し、検出された赤色光の光量の値を示す赤色光量検出値を出力する赤色光量検出素子と、緑色光の光量を検出し、検出された緑色光の光量の値を示す緑色光量検出値を出力する緑色光量検出素子と、青色光の光量を検出し、検出された青色光の光量の値を示す青色光量検出値を出力する青色光量検出素子とを有し、
前記光量制御部は、前記赤色光量検出素子から出力される前記赤色光量検出値、前記緑色光量検出素子から出力される前記緑色光量検出値および前記青色光量検出素子から出力される前記青色光量検出値に応答して、前記赤色発光素子、前記緑色発光素子および前記青色発光素子の点灯および消灯を制御することを特徴とする。
【００１１】
また本発明は、前記第１入射部に配設され、前記第１入射部に入射する外光から紫外線および赤外線を遮断する遮光手段をさらに含むことを特徴とする。
【発明の効果】
【００１２】
本発明によれば、第１導光体の第１入射部に入射した外光は、第１出射部に導かれ、第１出射部から出射された光は、第２導光体の第２入射部に入射する。第２入射部に入射した光は、第２出射部から出射され、液晶パネルの背面に、その背後から照射されて、表示に用いられる。このように外光を第１導光体と第２導光体とによって液晶パネルの背面に照射するように構成されるので、液晶パネルの向きにかかわらず、第１導光体の第１入射部の向きを外光の入射に適した向きへ配置することができ、採光上の自由度を向上することができる。
【００１３】
また本発明によれば、第２出射部には、複数の取付け部材が設けられ、各取付け部材には光源が設けられる。このように各取付け部材に設けられる光源によって、外光の光量が少ないとき、光源からの光源光によって光量を補い、表示に適した光度を得ることができる。
【００１４】
また本発明によれば、第２出射部には第２出射部から出射される光の光量を検出する光量検出部が設けられる。光量制御部は、光量検出部から出力される光量検出値に基づいて、光量検出値が予め設定される光量判定値未満であれば前記光源を点灯させ、光量検出値が前記予め定める光量判定値以上であれば、光源を消灯するように制御を行う。このように光量検出部と光量制御部とが設けられるので、液晶パネルに適した光量の光を液晶パネルの背面に照射し、最適な表示を実現することができる。
【００１５】
また本発明によれば、光源は赤色発光素子、緑色発光素子および青色発光素子とを含んで構成され、また光量検出部は赤色光量検出素子、緑色光量検出素子および青色光量検出素子とを含んで構成されるので、光量制御部は、各色毎に外光の色調変化が相殺されるように、各発光素子の光量を増加または減少させて、液晶パネルに照射される光の色調変化を抑制することができる。
【００１６】
また本発明によれば、第１入射部には紫外線および赤外線を遮断する遮光手段が設けられるので、紫外線によるバックライト部品の劣化、特に光学シートの変色を防ぎ、また赤外線によるバックライトの温度上昇による輝度低下や色ムラ発生の問題を防止し、日射の時刻および季節などの変化による液晶装置への悪影響を防止することができる。
【図面の簡単な説明】
【００１７】
【図１】本発明の一実施形態のバックライト装置１を簡素化して示す断面図である。
【図２】導光体モジュール３ａを正面から見た斜視図である。
【図３】導光体モジュール３ａを背後側から見た斜視図である。
【図４】導光体モジュール３ａを側方から見た斜視図である。
【図５】各取付け部材３０および光源３１の取付け状態を示す一部の断面図である。
【図６Ａ】各導光体モジュール３ａ，３ｂ，３ｃ，３ｄの内部構造を簡略化して示す断面図であり、シャッタ板４０の開度を全開にした状態を示す図である。
【図６Ｂ】各導光体モジュール３ａ，３ｂ，３ｃ，３ｄの内部構造を簡略化して示す断面図であり、シャッタ板４０の開度を減少させた状態を示す図である。
【図７】シャッタ板４０の構成を模式的に示す正面図である。
【図８】図８（１）〜図８（３）はＲＧＢ３色の画面上の輝度と受光素子の光量検出値との関係を示すグラフである。
【図９】図９（１）〜図９（３）はＲＧＢ３色の発光ダイオード３４の電流値と発光ダイオード３４の発光時における画面上の輝度との関係を示すグラフである。
【図１０】光量制御部５１の動作を説明するためのフローチャートである。
【発明を実施するための形態】
【００１８】
（第１実施形態）
図１は、本発明の一実施形態のバックライト装置１を簡素化して示す断面図である。本実施形態のバックライト装置１は、第１導光体２と、第２導光体３とを含み、液晶パネル４に画像を表示するための光であるバックライト光を該液晶パネル４に背後から照射するように構成される。
【００１９】
第１導光体２は、外光５が入射する第１入射部６を有するとともに、第１入射部６から入射した光が導かれる第１出射部８を有する。また第２導光体３は、第１出射部８から出射された光が入射する第２入射部９と、入射した光の一部は反射板１２によって反射して、液晶パネル４の背後側から照射する第２出射部１１とを有する。
【００２０】
第１導光体２は、外光を入射端から出射端に向かって複数（本実施形態では７）の導光体モジュール２ａ〜２ｇから成り、外光５の採光量が適切となるように個別に方向または位置を調整可能に構成される。これらの導光体モジュール２ａ〜２ｇには、内面に沿って複数の反射板１３ａ，１３ｂ，…，１３ｈ，１３ｉが設置され、これらは側方から見た断面が図１に示すように、略Ｕ字状の中空の遮光性ハウジング５０に収容されて構成される。
【００２１】
第２導光体３は、複数（本実施形態では４）の第２導光体モジュール１４ａ，１４ｂ，１４ｃ，１４ｄから成る。各導光体モジュール１４ａ〜１４ｄには、反射板１２ａ，１２ｂ，１２ｃ，１２ｄがそれぞれ設けられる。これらの反射板１２ａ〜１２ｄは、個別の反射板によって構成されてもよく、単一枚の反射板によって構成されてもよい。
【００２２】
図２は導光体モジュール３ａを正面から見た斜視図であり、図３は導光体モジュール３ａを背後側から見た斜視図であり、図４は導光体モジュール３ａを側方から見た斜視図である。
【００２３】
導光体モジュール３ａは、遮光性合成樹脂から成り、断面が四角筒状の筐体２０と、筐体２０の第１の側面に搭載される前述の液晶パネル４、筐体２０の前記第１の側面に隣接する第２の側面に設けられ、液晶パネル４に接続されるソース電極用駆動回路基板２１、タイミングコントローラ２２、発光素子用電源回路基板２３、液晶パネル４とタイミングコントローラ２２とを接続する可撓性フラットケーブル（Flexible Flat Cable：略称ＦＦＣ）２５、液晶パネル４とソース電極用駆動回路基板２１とを接続するフレキシブル基板２６などを含んで構成される。
【００２４】
前記反射板１２ａ〜１２ｄ；反射板１３ａ〜１３ｉは、遮光手段としての紫・赤外線吸収フィルム付き可視光反射鏡によって実現される。液晶パネル４の内面には、光学シート２７が貼着される。光学シート２７は、各発光ダイオード３４から液晶パネル４に向かって積重される拡散板２７ａ、マイクロレンズシート２７ｂおよび輝度上昇シート２７ｃを含んで構成される。
【００２５】
図５は、各取付け部材３０および光源３１の取付け状態を示す一部の断面図であり、図６Ａおよび図６Ｂは各導光体モジュール３ａ，３ｂ，３ｃ，３ｄの内部構造を簡略化して示す断面図であり、図６Ａはシャッタ板４０の開度を全開にした状態を示し、図６Ｂはシャッタ板４０の開度を減少させた状態を示す。各導光体モジュール３ａ，３ｂ，３ｃ，３ｄには、第２出射部１１を横切るように互いに上下に間隔ΔＬをあけて複数の棒状の取付け部材３３が設けられる。複数の取付け部材３３には、液晶パネル４に向けて光を出射する光源３１を構成する発光ダイオード（Light Emitting Diode；略称ＬＥＤ）３４と、反射板１２ａ，１２ｂ，１２ｃ，１２ｄに受光面を向けて配設され、第２出射部１０から出射される光の光量を検出し、検出された光量の値を示す光量検出値を出力する光量検出部としての受光素子３５とがそれぞれ実装される。
【００２６】
前記発光ダイオード３４は、１つの赤色光（Ｒ）を発生する赤色発光素子と、２つの緑色光（Ｇ）を発生する緑色発光素子と、１つの青色光（Ｂ）を発生する青色発光素子とを有する、ＲＧＧＢのマルチチップＬＥＤが用いられる。このようなマルチチップＬＥＤを採用することによって、カラーフィルタを要せず、ＲＧＢ３色のＬＥＤの光を制御し、３色のＬＥＤの光の混合により、広い範囲の色を再現することができる。
【００２７】
図７は、シャッタ板４０の構成を模式的に示す正面図である。前記シャッタ板４０は、透明なアクリル板またはポリカーボネート（略称ＰＣ）板から成る長方形の板状体４１に、短辺方向（図７の上下方向）に一定の幅ΔＬ１をあけて帯状に黒塗装することによって、遮光部４２と、該遮光部４２と同一幅ΔＬ２の透光部４３とが交互に形成されて構成される。遮光部４２および透光部４３の各幅ΔＬ１，ΔＬ２は、各取付け部材３３の間隔ΔＬと同一に設定される（ΔＬ１＝ΔＬ２＝ΔＬ）。
【００２８】
前記シャッタ板４０は、その長手方向両端部の下面が偏心カム４４，４５によって水平に支持され、偏心カム４４，４５の回転によって上下に前記幅ΔＬ１，ΔＬ２の範囲で変位させることができる。各偏心カム４４，４５は、前記ハウジング５０に軸支されるカム軸４６，４７に固定される。各カム軸４６，４７は、平行でかつ水平な軸線Ｌ１１，Ｌ１２まわりに回動可能であり、図示しない回動駆動手段によって回動され、各軸線Ｌ１１，Ｌ１２まわりに同一のシフト量でシャッタ板４０を上下に変位させることができる。このようなシャッタ板４０の上下の変位によって、外光（太陽光）の入射経路の一部を成す、各取付け部材３３間の各隙間の開口率を変化させ、光学シート２７および液晶パネル４の外光入射光量を制御することができる。
【００２９】
また前記受光素子３５は、赤色光の光量を検出し、検出された赤色光の光量の値を示す赤色光量検出値を出力する赤色光量検出素子と、緑色光の光量を検出し、検出された緑色光の光量の値を示す緑色光量検出値を出力する緑色光量検出素子と、青色光の光量を検出し、検出された青色光の光量の値を示す青色光量検出値を出力する青色光量検出素子とを有する。
【００３０】
赤色光量検出素子、緑色光量検出素子および青色光量検出素子は、カラーフィルタを搭載した受光素子（センサー）によって実現される。Ｒ色フィルタを搭載する受光素子、Ｇ色フィルタを搭載する受光素子、Ｂ色フィルタを搭載する受光素子をユニットとして設置された構成であり、この３色の受光素子によって、入射した太陽光のＲＧＢ光のそれぞれの強度を検知することができる。
【００３１】
図８（１）〜図８（３）は画面上の輝度と受光素子の光量検出値との関係を示すグラフであり、図９（１）〜図９（３）は発光ダイオード３４の電流値と発光ダイオード３４の発光時における画面上の輝度との関係を示すグラフである。前述の各受光素子３５によって受光される光の光量検出値は、中央演算処理装置（Central Processing Unit；略称ＣＰＵ）などを含んで実現される光量制御部５１（図１参照）に入力されてモニタリングされ、光量検出値が予め定めるしきい値に対して、たとえば５％以上変化したとき、後述する図１０のフローチャートに従って光量が制御される。
【００３２】
バックライト装置１は、各受光素子３５によって検出された光量検出値が予め設定される光量判定値未満であれば光源３１を点灯させ、光量検出値が前記予め設定される光量判定値以上であれば前記光源３１を消灯させる光量制御部５１を、さらに含む。
【００３３】
光量制御部５１は、赤色光量検出素子から出力される赤色光量検出値、緑色光量検出素子から出力される緑色光量検出値および青色光量検出素子から出力される青色光量検出値に応答して、赤色発光素子、緑色発光素子および青色発光素子の点灯および消灯を制御する。
【００３４】
液晶パネル４の光の透過率は、画素の開口率を約５７％、液晶モジュールの偏光板の透過率を約４３％、カラーフィルタの透過率を約３４％、ＩＴＯ電極の透過率を約９５％と見ると、総合透過率は７．９％となる。バックライト装置１での利用率が直下式で７５％、エッジライト式（導光板方式）で６０％〜７０％と想定され、光の総合利用効率は２％〜７％と考えられる。
【００３５】
すなわち、液晶パネルでは、光源が発する光量は、実際に画面上に出てくる光量よりも非常に多く、無駄が多い。そのため、太陽光などの外光を補助バックライトとして利用する本発明に従うバックライト装置は、省エネルギ化を図る上で非常に有意義であることが分る。
【００３６】
図１０は、光量制御部５１の動作を説明するためのフローチャートである。前記光量制御部５１は、シャッタ板４０が全開状態とし、図８（１）〜図８（３）に示すように、Ｒ／Ｇ／Ｂ３色はそれぞれ、画面上の輝度と受光素子３５の光量検出値Ｘとして入力され、予め設定される仕様輝度Ｌａに達するときの受光素子３５による光量検出値ＡＸａを求める。次に、光量制御部５１は、図９（１）〜図９（３）に示すように、Ｒ／Ｇ／Ｂ３色はそれぞれ、発光ダイオード３４の電流値Ｉと発光ダイオードの発光時における画面上の輝度Ｌｖｌｅｄとの関係、Ｌｖｌｅｄ＝ｇ（Ｉ）を求める。
【００３７】
次に、ステップｓ１において、シャッタ４０を全開にし、ステップｓ２において、外光（太陽光）の入射光量（Ｒ／Ｇ／Ｂ）を受光素子３５（Ｒ／Ｇ／Ｂ）によって検出し、ステップｓ３において、ＲＧＢ３色はそれぞれ、その検出値Ｘと光量検出標準値Ｘａとの関係を比較し、差Δ＝Ｘ−Ｘａを求める。Δ（Ｒ）、Δ（Ｇ）、Δ（Ｂ）の中の最大Δ値Δｍａｘを取り出す。
【００３８】
ステップｓ３において、Δｍａｘ≦０の場合、ステップｓ４に移り、シャッタを全開のまま動作をさせないように、次の各ステップｓ６〜ｓ９，ｓ１０〜ｓ１３，ｓ１４〜１８を実行する。すなわち、外光（太陽光）のみなら仕様輝度に達しないので、不足光量を補足し、また色調を調整するために、Ｒ／Ｇ／Ｂ３色それぞれの発光ダイオードを点灯する。
【００３９】
ステップｓ６〜ｓ９に示すように、Ｒ色において、Δ（Ｒ）値により、不足輝度を補足するために発光ダイオードを必要な電流値で点灯する。必要な電流値は、式Ｉ＝ｇ−１［Ｌｖａ−ｆ（Ｘ）］より算出できる。
【００４０】
またステップｓ１０〜１３に示すように、Ｇ色において、Δ（Ｇ）値により、不足輝度を補足するために発光ダイオードを必要な電流値で点灯する。必要な電流値は、式Ｉ＝ｇ−１［Ｌｖａ−ｆ（Ｘ）］より算出できる。
【００４１】
さらにステップｓ１４〜ｓ１８に示すように、Ｂ色において、Δ（Ｂ）値により、不足輝度を補足するために発光ダイオードを必要な電流値で点灯する。必要な電流値は、式Ｉ＝ｇ−１［Ｌｖａ−ｆ（Ｘ）］より算出できる。
【００４２】
また、ステップｓ３において、Δｍａｘ＞０の場合、外光の中のＲ／Ｇ／Ｂ３色の何れかがその色の仕様輝度値を超えているので、ステップｓ５へ移って、シャッタを動作させ、外光の入射量を減少させる。Δｍａｘ＝０になるまで、シャッタを動作させる。この時、Δｍａｘが０になった色の光量は仕様輝度に達したが、その他の１色（Ａ）或いは２色（Ａ／Ｂ）の光量は仕様輝度に達していない可能性があるため、それぞれの不足光量を補足し、また色味を調整するようにそれぞれの発光ダイオードを点灯させる。
【００４３】
Ａ色（Ｒ／Ｇ／Ｂの何れか）において、Δ（Ａ）値により、不足輝度を補足するために発光ダイオードを必要な電流値で点灯する。必要な電流値は、式Ｉ＝ｇ−１［Ｌｖａ−ｆ（Ｘ）］より算出できる。
【００４４】
Ｂ色（Ｒ／Ｇ／Ｂの何れか）において、Δ（Ｂ）値により、不足輝度を補足するために発光ダイオードを必要な電流値で点灯する。必要な電流値は、式Ｉ＝ｇ−１［Ｌｖａ−ｆ（Ｘ）］より算出できる。
【００４５】
受光素子３５より入射太陽光の光量値Ｘを検出し、光量値Ｘの変化をモニタリングし、５％以上光量変化が発生した場合、フローチャートに従って、シャッタを全開させ、光量調査を再度行い、ステップｓ６〜ｓ９，ｓ１０〜ｓ１３，ｓ１４〜ｓ１８のプロセスを繰り返す。
【００４６】
本実施形態によれば、第１入射部７に入射した外光は、第１導光体２の反射板１３によって反射され、第１出射部８から第２導光体３の第２入射部９に入射する。第２入射部９に入射した光は、反射板１２によって反射され、その反射光は、第２出射部１１から出射され、液晶パネル４の背面に照射されて、表示に用いられる。このように外光を第１導光体２と第２導光体３とによって液晶パネル４の背面に照射するように構成されるので、液晶パネル４の向きにかかわらず、第１導光体２の第１入射部２ａの向きを外光の入射に適した向きへ配置することができ、採光上の自由度を向上することができる。
【００４７】
（第２実施形態）
また、本発明の第２実施形態では、第２出射部１１には、複数の取付け部材３０が設けられ、各取付け部材３０には光源３１が設けられる。このように各取付け部材３０に設けられる光源３１によって、外光の光量が少ないとき、光源からの光源光によって光量を補い、表示に適した光度を得ることができる。
【００４８】
（第３実施形態）
また、本発明の第３実施形態では、第２出射部１０には、光量を検出する光量検出部である受光素子３５が設けられる。光量制御部５１は、受光素子３５から出力される光量検出値に基づいて、光量検出値が予め設定される光量判定値未満であれば前記光源３１を点灯させ、光量検出値が前記予め定める光量判定値以上であれば、光源３１を消灯するように制御を行う。このように受光素子３５と光量制御部５１とが設けられるので、液晶パネル４に適した光量の光を液晶パネル４の背面に照射し、最適な表示を実現することができる。
【００４９】
（第４実施形態）
また、本発明の第４実施形態では、光源３１は赤色発光素子、緑色発光素子および青色発光素子とを含んで構成され、また受光素子３５は赤色光量検出素子、緑色光量検出素子および青色光量検出素子とを含んで構成される。このような構成を採用することによって、光量制御部５１は、各色毎に外光の色調変化が相殺されるように、すなわち発光素子の光量を増加または減少させて、液晶パネル４に照射される光の色調変化を抑制することができる。
【００５０】
（第５実施形態）
また、本発明の第５実施形態では、第１入射部６には、紫外線および赤外線を遮断する反射板１３ａ〜１３ｉが遮光手段として設けられる。このような構成を採用することによって、紫外線によるバックライト部品の劣化、特に光学シートの変色を防ぎ、また赤外線によるバックライトの温度上昇による輝度低下や色ムラ発生の問題を防止し、日射の時刻および季節などの変化による液晶装置への悪影響を防止することができる。
【符号の説明】
【００５１】
１  バックライト装置
２  第１導光体
３  第２導光体
４  液晶パネル
５  外光
６  第１入射部
８  第１出射部
１２，１２ａ〜１２ｄ；１３，１３ａ〜１３ｉ  反射板
１１  第２出射部
【図１】
2015161902.tif 000003
【図２】
2015161902.tif 000004
【図３】
2015161902.tif 000005
【図４】
2015161902.tif 000006
【図５】
2015161902.tif 000007
【図６Ａ】
2015161902.tif 000008
【図６Ｂ】
2015161902.tif 000009
【図７】
2015161902.tif 000010
【図８】
2015161902.tif 000011
【図９】
2015161902.tif 000012
【図１０】
2015161902.tif 000013